(57)【特許請求の範囲】
【請求項１】
データ送信方法であって、
基地局により、変調及び符号化レベルを決定するステップと、
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップと、
前記第１変調及びトランスポートブロックサイズインデックステーブルが選択されたときは、前記基地局により、前記第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、前記第２変調及びトランスポートブロックサイズインデックステーブルが選択されたときは、前記基地局により、第２変調及びトランスポートブロックサイズインデックステーブルにおいて、前記変調及び符号化レベルに対応する第２ＴＢＳインデックス及び第２変調モードを決定するステップであって、前記第２ＴＢＳインデックスは、前記第１ＴＢＳインデックスより小さくない、ステップと、
前記基地局により、時間−周波数リソースを決定し、前記時間−周波数リソースに従って、物理リソースブロックペアの数量を決定するステップと、
前記基地局により、トランスポートブロックサイズテーブルにおいて、物理リソースペアの前記数量に対応するとともに前記決定された第１ＴＢＳインデックスまたは第２ＴＢＳインデックスに対応するトランスポートブロックサイズ（ＴＢＳ）を選択するステップと、
前記基地局により、前記選択されたＴＢＳを採用することにより、サービスデータをユーザ装置へ送信するステップと、
前記基地局により、システムスケジューリング制御信号を前記ユーザ装置へ送信するステップであって、前記システムスケジューリング制御信号は、前記変調及び符号化レベルと、前記時間−周波数リソースとを具備するステップと、
を具備することを特徴とするデータ送信方法。
【請求項２】
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップは、
前記システム構成パラメータが、コントロールシグナリングが、物理ダウンリンク制御チャネルを含むことを示している場合、前記第１変調及びトランスポートブロックサイズインデックステーブルを選択するステップと、
前記システム構成パラメータが、前記コントロールシグナリングが、物理ダウンリンク制御チャネルを含んでいないことを示している場合、前記第２変調及びトランスポートブロックサイズインデックステーブルを選択するステップと
を具備することを特徴とする請求項１に記載の方法。
【請求項３】
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップは、
前記システムオーバヘッドサイズが４８リソース要素の場合、前記第１変調及びトランスポートブロックサイズインデックステーブルを選択するステップと、
前記システムオーバヘッドサイズが１２リソース要素の場合、前記第２変調及びトランスポートブロックサイズインデックステーブルを選択するステップと
を具備することを特徴とする請求項１に記載の方法。
【請求項４】
前記基地局により、高位レイヤシグナリングメッセージを前記ユーザ装置へ送信するステップであって、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップ
をさらに具備することを特徴とする請求項１から３のいずれか一項に記載の方法。
【請求項５】
前記基地局により、ダウンリンク制御メッセージを前記ユーザ装置へ送信するステップであって、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備することを特徴とする請求項１から３のいずれか一項に記載の方法。
【請求項６】
前記トランスポートブロックサイズテーブルは、LTE REL.8（ロング・ターム・エボリューション・リリース８）におけるレイヤ１データトランスポートブロックサイズテーブルを具備することを特徴とする請求項１から５のいずれか一項に記載の方法。
【請求項７】
前記第１変調及びトランスポートブロックサイズインデックステーブルは、LTE REL.8における変調及びトランスポートブロックサイズインデックステーブルであることを特徴とする請求項１から６のいずれか一項に記載の方法。
【請求項８】
同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスより大きければ、前記第２ＴＢＳインデックスに対応する前記第２変調モードの変調次数は、前記第１ＴＢＳインデックスに対応する前記第１変調モードの変調次数より低いことを特徴とする請求項７に記載の方法。
【請求項９】
データ送信方法であって、
ユーザ装置により、基地局により送信されたシステムスケジューリング制御信号を受信するステップであって、前記システムスケジューリング制御信号は、変調及び符号化レベルと、時間−周波数リソースと、を具備する、ステップと、
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップと、
前記第１変調及びトランスポートブロックサイズインデックステーブルが選択されたときは、前記ユーザ装置により、前記第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、前記第２変調及びトランスポートブロックサイズインデックステーブルが選択されたときは、前記基地局により、前記第２変調及びトランスポートブロックサイズインデックステーブルにおいて、前記変調及び符号化レベルに対応する第２ＴＢＳインデックス及び第２変調モードを決定するステップであって、前記第２ＴＢＳインデックスは、前記第１ＴＢＳインデックスより小さくない、ステップと、
前記ユーザ装置により、前記時間−周波数リソースに従って、物理リソースブロックペアの数量を決定するステップと、
前記ユーザ装置により、トランスポートブロックサイズテーブルにおいて、物理リソースペアの前記数量に対応するとともに前記決定された第１ＴＢＳインデックスまたは第２ＴＢＳインデックスに対応するトランスポートブロックサイズ（ＴＢＳ）を選択するステップと、
前記選択されたＴＢＳを採用することにより、前記基地局により送信されたサービスデータを受信するステップと、
を具備することを特徴とするデータ送信方法。
【請求項１０】
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップは、
前記システム構成パラメータが、コントロールシグナリングが、物理ダウンリンク制御チャネルを含むことを示している場合、前記第１変調及びトランスポートブロックサイズインデックステーブルを選択するステップと、
前記システム構成パラメータが、前記コントロールシグナリングが、物理ダウンリンク制御チャネルを含んでいないことを示している場合、前記第２変調及びトランスポートブロックサイズインデックステーブルを選択するステップと
を具備することを特徴とする請求項９に記載の方法。
【請求項１１】
前記基地局により、システム構成パラメータ又はシステムオーバヘッドサイズに従って、第１変調及びトランスポートブロックサイズインデックステーブル、又は、第２変調及びトランスポートブロックサイズインデックステーブルを選択するステップは、
前記システムオーバヘッドサイズが４８リソース要素の場合、前記第１変調及びトランスポートブロックサイズインデックステーブルを選択するステップと、
前記システムオーバヘッドサイズが１２リソース要素の場合、前記第２変調及びトランスポートブロックサイズインデックステーブルを選択するステップと
を具備することを特徴とする請求項９に記載の方法。
【請求項１２】
前記ユーザ装置により、前記基地局により送信された高位レイヤシグナリングメッセージを受信するステップであって、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備する請求項９から１１のいずれか一項に記載の方法。
【請求項１３】
前記ユーザ装置により、前記基地局により送信されたダウンリンク制御メッセージを受信するステップであって、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備することを特徴とする請求項９から１１のいずれか一項に記載の方法。
【請求項１４】
前記トランスポートブロックサイズテーブルは、LTE REL.8（ロング・ターム・エボリューション・リリース８）におけるレイヤ１データトランスポートブロックサイズテーブルを具備することを特徴とする請求項９から１３のいずれか一項に記載の方法。
【請求項１５】
前記第１変調及びトランスポートブロックサイズインデックステーブルは、LTE REL.8における変調及びトランスポートブロックサイズインデックステーブルであることを特徴とする請求項９から１４のいずれか一項に記載の方法。
【請求項１６】
同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスよりも大きければ、前記第２ＴＢＳインデックスに対応する前記第２変調モードの変調次数は、前記第１ＴＢＳインデックスに対応する前記第１変調モードの変調次数よりも低いことを特徴とする請求項１５に記載の方法。
【請求項１７】
基地局であって、
変調及び符号化レベルを決定し、
システム構成パラメータ又はシステムオーバヘッドサイズに従って、第１変調及びトランスポートブロックサイズインデックステーブル、又は、第２変調及びトランスポートブロックサイズインデックステーブルを選択し、
前記第１変調及びトランスポートブロックサイズインデックステーブルが選択されたときは、前記第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、前記第２変調及びトランスポートブロックサイズインデックステーブルが選択されたときは、前記第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくなく、
時間−周波数リソースを決定するとともに、前記時間−周波数リソースに従って物理リソースブロックペアの数量を決定する
ように構成されているプロセッサと、
前記プロセッサは、トランスポートブロックサイズテーブルにおいて、前記物理リソースブロックペアの数量に対応するとともに前記決定された第１ＴＢＳインデックスまたは第２ＴＢＳインデックスに対応するトランスポートブロックサイズ（ＴＢＳ）を選択するようにさらに構成され、
前記選択されたＴＢＳを採用することにより、サービスデータをユーザ装置へ送信するとともにシステムスケジューリング制御信号を前記ユーザ装置へ送信するように構成されている送信器であって、前記システムスケジューリング制御信号は、前記変調及び制御レベルと、前記時間−周波数リソースとを具備する、送信器と、
を備えていることを特徴とする基地局。
【請求項１８】
システム構成パラメータ又はシステムオーバヘッドサイズに従って、第１変調及びトランスポートブロックサイズインデックステーブル、又は、第２変調及びトランスポートブロックサイズインデックステーブルを選択することは、
前記システム構成パラメータが、コントロールシグナリングが、物理ダウンリンク制御チャネルを含むことを示している場合、前記第１変調及びトランスポートブロックサイズインデックステーブルを選択することと、
前記システム構成パラメータが、前記コントロールシグナリングが、物理ダウンリンク制御チャネルを含んでいないことを示している場合、前記第２変調及びトランスポートブロックサイズインデックステーブルを選択することと
を具備することを特徴とする請求項１７に記載の基地局。
【請求項１９】
システム構成パラメータ又はシステムオーバヘッドサイズに従って、第１変調及びトランスポートブロックサイズインデックステーブル、又は、第２変調及びトランスポートブロックサイズインデックステーブルを選択することは、
前記システムオーバヘッドサイズが４８リソース要素の場合、前記第１変調及びトランスポートブロックサイズインデックステーブルを選択することと、
前記システムオーバヘッドサイズが１２リソース要素の場合、前記第２変調及びトランスポートブロックサイズインデックステーブルを選択することと
を具備することを特徴とする請求項１７に記載の基地局。
【請求項２０】
前記送信器は、高位レイヤシグナリングメッセージを前記ユーザ装置へ送信するようにさらに構成され、
前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送することを特徴とする請求項１７から１９のいずれか一項に記載の基地局。
【請求項２１】
前記送信器は、ダウンリンク制御メッセージを前記ユーザ装置へ送信するようにさらに構成され、
前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送することを特徴とする請求項１７から１９のいずれか一項に記載の基地局。
【請求項２２】
前記トランスポートブロックサイズテーブルは、LTE REL.8（ロング・ターム・エボリューション・リリース８）におけるレイヤ１データトランスポートブロックサイズテーブルを具備することを特徴とする請求項１７から２１のいずれか一項に記載の基地局。
【請求項２３】
前記第１変調及びトランスポートブロックサイズインデックステーブルは、LTE REL.8における変調及びトランスポートブロックサイズインデックステーブルでありうることを特徴とする請求項１７から２２のいずれか一項に記載の基地局。
【請求項２４】
同じ変調及び符号化レベルの場合、前記第２変調及びトランスポートブロックサイズイ
ンデックステーブルにおける前記第２ＴＢＳインデックスが、前記第１変調及びトランスポートブロックサイズインデックステーブルにおける前記第１ＴＢＳインデックスより大きいならば、前記第２ＴＢＳインデックスに対応する前記第２変調モードの変調次数は、前記第１ＴＢＳインデックスに対応する前記第１変調モードの変調次数より低いことを特徴とする請求項２３に記載の基地局。
【請求項２５】
ユーザ装置であって、
基地局により送信されたシステムスケジューリング制御信号を受信するように構成されている受信器であって、前記システムスケジューリング制御信号は、変調及び符号化レベルと時間−周波数リソースとを含む、受信器と、
システム構成パラメータ又はシステムオーバヘッドサイズに従って、第１変調及びトランスポートブロックサイズインデックステーブル、又は、第２変調及びトランスポートブロックサイズインデックステーブルを選択し、
前記第１変調及びトランスポートブロックサイズインデックステーブルが選択されたときは、前記第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、前記第２変調及びトランスポートブロックサイズインデックステーブルが選択されたときは、前記第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスよりも小さくなく、
前記時間−周波数リソースに従って、物理リソースブロックペアの数量を決定する
ように構成されたプロセッサと、
を具備し、
前記プロセッサは、トランスポートブロックサイズテーブルにおいて、物理リソースブロックの数量に対応するとともに前記決定された第１ＴＢＳインデックスまたは第２ＴＢＳインデックスに対応するトランスポートブロックサイズ（ＴＢＳ）を選択するようにさらに構成され、
前記受信器は、前記選択されたＴＢＳを採用することにより、前記基地局により送信されたサービスデータを受信するようにさらに構成されていることを特徴とするユーザ装置。
【請求項２６】
システム構成パラメータ又はシステムオーバヘッドサイズに従って、第１変調及びトランスポートブロックサイズインデックステーブル、又は、第２変調及びトランスポートブロックサイズインデックステーブルを選択することは、
前記システム構成パラメータが、コントロールシグナリングが、物理ダウンリンク制御チャネルを含むことを示している場合、前記第１変調及びトランスポートブロックサイズインデックステーブルを選択することと、
前記システム構成パラメータが、前記コントロールシグナリングが、物理ダウンリンク制御チャネルを含んでいないことを示している場合、前記第２変調及びトランスポートブロックサイズインデックステーブルを選択することと
を具備することを特徴とする請求項２５に記載のユーザ装置。
【請求項２７】
システム構成パラメータ又はシステムオーバヘッドサイズに従って、第１変調及びトランスポートブロックサイズインデックステーブル、又は、第２変調及びトランスポートブロックサイズインデックステーブルを選択することは、
前記システムオーバヘッドサイズが４８リソース要素の場合、前記第１変調及びトランスポートブロックサイズインデックステーブルを選択することと、
前記システムオーバヘッドサイズが１２リソース要素の場合、前記第２変調及びトランスポートブロックサイズインデックステーブルを選択することと
を具備することを特徴とする請求項２５に記載のユーザ装置。
【請求項２８】
前記受信器は、前記基地局により送信された高位レイヤシグナリングメッセージを受信するようにさらに構成され、
前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送することを特徴とする請求項２５から２７のいずれか一項に記載のユーザ装置。
【請求項２９】
前記受信器は、前記基地局により送信されたダウンリンク制御メッセージを受信するようにさらに構成され、
前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前
記変調及び符号化レベルに対応する前記第２ＴＢＳインデックス及び前記第２変調モードの指示情報を決定するか、の選択の指示情報を搬送することを特徴とする請求項２５から２７のいずれか一項に記載のユーザ装置。
【請求項３０】
前記トランスポートブロックサイズテーブルは、LTE REL.8（ロング・ターム・エボリューション・リリース８）におけるレイヤ１データトランスポートブロックサイズテーブルを具備することを特徴とする請求項２５から２９のいずれか一項に記載のユーザ装置。
【請求項３１】
前記第１変調及びトランスポートブロックサイズインデックステーブルは、LTE REL.8における変調及びトランスポートブロックサイズインデックステーブルであることを特徴とする請求項２５から３０のいずれか一項に記載のユーザ装置。
【請求項３２】
同じ変調及び符号化レベルの場合、前記第２ＴＢＳインデックスにおける前記第２変調及びトランスポートブロックサイズインデックステーブルが、前記第１変調及びトランスポートブロックサイズインデックステーブルにおける前記第１ＴＢＳインデックスより大きければ、前記第２ＴＢＳインデックスに対応する前記第２変調モードの変調次数は、前記第１ＴＢＳインデックスに対応する前記第１変調モードの変調次数より低いことを特徴とする請求項３１に記載のユーザ装置。
【発明の詳細な説明】
【技術分野】
【０００１】
本発明は通信技術に関し、特に、データ送信方法、基地局、及びユーザ装置に関する。
【背景技術】
【０００２】
ロング・ターム・エボリューション・リリース８（以下LTE REL.8)からLTE REL.11までのシステムにおいて、基地局からユーザ装置（以下ＵＥ)までのチャネルの状態が前記基地局から前記ＵＥまでのスループットを決定する。比較的よいチャネル状態においては、前記基地局は、比較的高い変調及び符号化(Modulation and Coding Scheme：ＭＣＳ)レベルを採用することにより、データを前記ＵＥに送信し得、前記システムのスループットもまた比較的高くなる。比較的弱いチャネル状態においては、データ送信処理におけるビットエラーレートを制御するために、前記基地局は、比較的低ＭＣＳレベルを採用することにより、データを前記ＵＥへ送信し得、前記基地局は、前記ＵＥによりフィードバックされたチャネル状態に従って、このチャネル上でデータを前記ＵＥに送信するために採用されるコーディングレート及びＭＣＳレベルを決定する。この符号化レートでデータを前記ＵＥに送信する目的を達成するために、前記基地局は、引き渡されるサービスデータが占有する必要のあるトランスポートブロックのサイズを決定することが必要である。前記トランスポートブロックの前記サイズを決定する場合、トランスポートブロックサイズテーブル(ＴＢＳ)において、前記決定されたＭＣＳレベル及び前記システムによりスケジュールされる周波数リソースに従って、前記基地局により前記ＵＥに引き渡されるサービスデータのベアリング(bearing)のために使用される前記トランスポートブロックの前記サイズを前記基地局が一般に決定する。
【０００３】
従来技術では、LTE REL.12のために、前記基地局は、既存のＴＢＳテーブルに従って決定されるトランスポートブロックを採用してデータを前記ＵＥに送信する。しかし、前記LTE REL.12システムのシステムオーバーヘッドは、LTE REL.8からLTE REL.11のシステムのそれと比較して、より小さくなり、送信処理における実際の効果的な符号化レートは減少し、それにより、LTE REL.12システムのスループットに影響を及ぼす。
【発明の概要】
【発明が解決しようとする課題】
【０００４】
本発明の実施形態は、既存のＴＢＳテーブルに従って決定されるトランスポートブロックを使用する前記基地局による前記ＵＥへのデータの送信に起因する、その減少した効果的な符号化レートや影響を受けるシステムスループットの問題を解決するようなデータ送信方法、基地局、及びユーザ装置を提供することを目的とする。
【課題を解決するための手段】
【０００５】
第１の特徴によれば、本願の実施形態は、基地局により、変調及び符号化レベルを決定するステップと、前記基地局により、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定するステップであって、前記第２ＴＢＳインデックスは前記第１ＴＢＳインデックスより小さくない、ステップと、前記基地局により、時間−周波数リソースを決定し、前記時間−周波数リソースに従って、物理リソースブロックペアの数量を決定するステップと、前記基地局により、トランスポートブロックサイズテーブルにおいて、物理リソースブロックの前記数量に対応するとともに前記決定された第１ＴＢＳインデックスまたは第２ＴＢＳインデックスに対応するトランスポートブロックサイズ（ＴＢＳ）を選択するステップと、前記基地局により、前記選択されたＴＢＳを採用することにより、サービスデータをユーザ装置へ送信するステップと、前記基地局により、システムスケジューリング制御信号を前記ユーザ装置へ送信するステップであって、前記システムスケジューリング制御信号は、前記変調及び符号化レベルと、前記時間−周波数リソースとを具備するステップと、を具備することを特徴とするデータ送信方法を提供する。
【０００６】
前記第１の特徴に関連し、前記第１の特徴の第１の可能な実施態様において、前記基地局により、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定するステップは、システム構成パラメータ又はシステムオーバヘッドサイズに従って、前記基地局により、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードを決定するステップを具備する。
【０００７】
前記第１の特徴又は前記第１の特徴の第１の可能な実施態様に関連し、前記第１の特徴の第２の可能な実施態様において、前記方法は、前記基地局により、高位レイヤシグナリングメッセージを前記ユーザ装置へ送信するステップであって、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備する。
【０００８】
前記第１の特徴又は前記第１の特徴の第１の可能な実施態様に関連し、前記第１の特徴の第３の可能な実施態様において、前記方法は、前記基地局により、ダウンリンク制御メッセージを前記ユーザ装置へ送信するステップであって、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備する。
【０００９】
前記第１の特徴、又は前記第１の特徴の前記第１の可能な実施態様、前記第１の特徴の前記第２の可能な実施態様、及び前記第１の特徴の前記第３の可能な実施態様、のいずれか１つに関連し、前記第１の特徴の第４の可能な実施態様において、前記トランスポートブロックサイズテーブルは、LTE REL.8（ロング・ターム・エボリューション・リリース８）におけるレイヤ１データトランスポートブロックサイズテーブルを具備する。
【００１０】
前記第１の特徴、又は前記第１の特徴の前記第１の可能な実施態様、前記第１の特徴の前記第２の可能な実施態様、前記第１の特徴の前記第３の可能な実施態様、及び前記第１の特徴の前記第４の可能な実施態様、のいずれか１つに関連し、前記第１の特徴の第５の可能な実施態様において、前記第１変調及びトランスポートブロックサイズインデックステーブルは、LTE REL.8における変調及びトランスポートブロックサイズインデックステーブルである。
【００１１】
前記第１の特徴の前記第５の可能な実施態様に関連し、前記第１の特徴の第６の可能な実施態様において、同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスより大きければ、前記第２ＴＢＳインデックスに対応する前記第２変調モードの変調次数は、前記第１ＴＢＳインデックスに対応する前記第１変調モードの変調次数より低い。
【００１２】
第２の特徴によれば、本願の実施形態は、ユーザ装置により、基地局により送信されたシステムスケジューリング制御信号を受信するステップであって、前記システムスケジューリング制御信号は、変調及び符号化レベルと、時間−周波数リソースと、を具備する、ステップと、前記ユーザ装置により、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定するステップであって、前記第２ＴＢＳインデックスは、前記第１ＴＢＳインデックスより小さくない、ステップと、前記ユーザ装置により、前記時間−周波数リソースに従って、物理リソースブロックペアの数量を決定するステップと、前記ユーザ装置により、トランスポートブロックサイズテーブルにおいて、物理リソースペアの前記数量に対応するとともに前記決定された第１ＴＢＳインデックスまたは第２ＴＢＳインデックスに対応するトランスポートブロックサイズ（ＴＢＳ）を選択するステップと、前記選択されたＴＢＳを採用することにより、前記基地局により送信されたサービスデータを受信するステップと、を具備するデータ送信方法を提供する。
【００１３】
前記第２の特徴に関連し、前記第２の特徴の第１の実施可能な態様において、前記ユーザ装置により、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は第２変調及びトランスポートブロックサイズインデックステーブルにおいて、前記変調及び符号化レベルに対応する第２ＴＢＳインデックス及び第２変調モードを決定する前記ステップは、
システム構成パラメータ又はシステムオーバヘッドサイズに従って、前記ユーザ装置により、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードを決定するステップを具備する。
【００１４】
前記第２の特徴又は前記第２の特徴の第１の実施可能な態様に関連し、前記第２の特徴の第２の実施可能な態様において、前記方法は、前記ユーザ装置により、前記基地局により送信された高位レイヤシグナリングメッセージを受信するステップであって、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備する。
【００１５】
前記第２の特徴又は前記第２の特徴の第１の実施可能な態様に関連し、前記第２の特徴の第３の実施可能な態様において、前記方法は、前記ユーザ装置により、前記基地局により送信されたダウンリンク制御メッセージを受信するステップであって、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する、ステップをさらに具備する。
【００１６】
前記第２の特徴、又は前記第２の特徴の第１の実施可能な態様、前記第２の特徴の第２の実施可能な態様、及び前記第２の特徴の第３の実施可能な態様、の前記第２の特徴のいずれか１つの可能な態様に関連し、前記第２の特徴の第４の実施可能な態様において、前記トランスポートブロックサイズテーブルは、LTE REL.8（ロング・ターム・エボリューション・リリース８）におけるレイヤ１データトランスポートブロックサイズテーブルを具備する。
【００１７】
前記第２の特徴、又は前記第２の特徴の第１の実施可能な態様、前記第２の特徴の第２の実施可能な態様、前記第２の特徴の第３の実施可能な態様、及び前記第２の特徴の第４の実施可能な態様、の前記第２の特徴のいずれか１つの可能な態様に関連し、前記第２の特徴の第５の実施可能な態様において、前記第１変調及びトランスポートブロックサイズインデックステーブルは、LTE REL.8における変調及びトランスポートブロックサイズインデックステーブルである。
【００１８】
前記第２の特徴の第５の実施可能な態様に関連し、前記第２の特徴の第６の実施可能な態様において、同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスよりも大きければ、前記第２ＴＢＳインデックスに対応する前記第２変調モードの変調次数は、前記第１ＴＢＳインデックスに対応する前記第１変調モードの変調次数よりも低い
【００１９】
第３の特徴によれば、本願の実施形態は、変調及び符号化レベルを決定し、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくなく、時間−周波数リソースを決定するとともに、前記時間−周波数リソースに従って物理リソースブロックペアの数量を決定するように構成されているプロセッサと、前記プロセッサは、トランスポートブロックサイズテーブルにおいて、前記物理リソースブロックペアの数量に対応するとともに前記決定された第１ＴＢＳインデックスまたは第２ＴＢＳインデックスに対応するトランスポートブロックサイズ（ＴＢＳ）を選択するようにさらに構成され、前記選択されたＴＢＳを採用することにより、サービスデータをユーザ装置へ送信するとともにシステムスケジューリング制御信号を前記ユーザ装置へ送信するように構成されている送信器であって、前記システムスケジューリング制御信号は、前記変調及び制御レベルと、前記時間−周波数リソースとを具備する、送信器と、を備えている基地局を提供する。
【００２０】
前記第３の特徴に関連し、前記第３の特徴の第１の実施可能な態様において、前記プロセッサは、システム構成パラメータ又はシステムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定するようにさらに構成されている。
【００２１】
前記第３の特徴又は前記第３の特徴の第１の実施可能な態様に関連し、前記第３の特徴の第２の実施可能な態様において、前記送信器は、高位レイヤシグナリングメッセージを前記ユーザ装置へ送信するようにさらに構成され、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００２２】
前記第３の特徴又は前記第３の特徴の第１の実施可能な態様に関連し、前記第３の特徴の第３の実施可能な態様において、前記送信器は、ダウンリンク制御メッセージを前記ユーザ装置へ送信するようにさらに構成され、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００２３】
前記第３の特徴又は前記第３の特徴の第１の実施可能な態様、前記第３の特徴の第２の実施可能な態様、及び前記第３の特徴の第３の実施可能な態様、の前記第３の特徴のいずれか１つの可能な態様に関連し、前記第３の特徴の第４の実施可能な態様において、前記トランスポートブロックサイズテーブルは、LTE REL.8（ロング・ターム・エボリューション・リリース８）におけるレイヤ１データトランスポートブロックサイズテーブルを具備する。
【００２４】
前記第３の特徴又は前記第３の特徴の第１の実施可能な態様、前記第３の特徴の第２の実施可能な態様、前記第３の特徴の第３の実施可能な態様、及び前記第３の特徴の第４の実施可能な態様、の前記第３の特徴のいずれか１つの可能な態様に関連し、前記第３の特徴の第５の実施可能な態様において、前記第１変調及びトランスポートブロックサイズインデックステーブルは、LTE REL.8における変調及びトランスポートブロックサイズインデックステーブルである。
【００２５】
前記第３の特徴の第５の実施可能な態様に関連し、前記第３の特徴の第６の実施可能な態様において、同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスより大きいならば、前記第２ＴＢＳインデックスに対応する前記第２変調モードの変調次数は、前記第１ＴＢＳインデックスに対応する前記第１変調モードの変調次数より低い。
【００２６】
第４の特徴によれば、本願の実施形態は、基地局により送信されたシステムスケジューリング制御信号を受信するように構成されている受信器であって、前記システムスケジューリング制御信号は、変調及び符号化レベルと時間−周波数リソースとを含む、受信器と、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスよりも小さくなく、前記時間−周波数リソースに従って、物理リソースブロックペアの数量を決定するように構成されたプロセッサと、を具備し、前記プロセッサは、トランスポートブロックサイズテーブルにおいて、物理リソースブロックの数量に対応するとともに前記決定された第１ＴＢＳインデックスまたは第２ＴＢＳインデックスに対応するトランスポートブロックサイズ（ＴＢＳ）を選択するようにさらに構成され、前記受信器は、前記選択されたＴＢＳを採用することにより、前記基地局により送信されたサービスデータを受信するようにさらに構成されているユーザ装置を提供する。
【００２７】
前記第４の特徴に関連し、前記第４の特徴の第１の実施可能な態様において、前記プロセッサは、システム構成パラメータ又はシステムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定するようにさらに構成されている。
【００２８】
前記第４の特徴又は前記第４の特徴の第１の実施可能な態様に関連し、前記第４の特徴の第２の実施可能な態様において、前記受信器は、前記基地局により送信された高位レイヤシグナリングメッセージを受信するようにさらに構成され、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００２９】
前記第４の特徴又は前記第４の特徴の第１の実施可能な態様に関連し、前記第４の特徴の第３の実施可能な態様において、前記受信器は、前記基地局により送信されたダウンリンク制御メッセージを受信するようにさらに構成され、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００３０】
前記第４の特徴又は前記第４の特徴の第１の実施可能な態様、前記第４の特徴の第２の実施可能な態様、及び前記第４の特徴の第３の実施可能な態様、の前記第４の特徴のいずれか１つの可能な態様に関連し、前記第４の特徴の第４の実施可能な態様において、前記トランスポートブロックサイズテーブルは、LTE REL.8（ロング・ターム・エボリューション・リリース８）におけるレイヤ１データトランスポートブロックサイズテーブルを具備する。
【００３１】
前記第４の特徴又は前記第４の特徴の第１の実施可能な態様、前記第４の特徴の第２の実施可能な態様、前記第４の特徴の第３の実施可能な態様、及び前記第４の特徴の第４の実施可能な態様、の前記第４の特徴のいずれか１つの可能な態様に関連し、前記第４の特徴の第５の実施可能な態様において、前記第１変調及びトランスポートブロックサイズインデックステーブルは、LTE REL.8における変調及びトランスポートブロックサイズインデックステーブルである。
【００３２】
前記第４の特徴の第５の実施可能な態様に関連し、前記第４の特徴の第６の実施可能な態様において、同じ変調及び符号化レベルの場合、前記第２ＴＢＳインデックスにおける前記第２変調及びトランスポートブロックサイズインデックステーブルが、前記第１変調及びトランスポートブロックサイズインデックステーブルにおける前記第１ＴＢＳインデックスより大きければ、前記第２ＴＢＳインデックスに対応する前記第２変調モードの変調次数は、前記第１ＴＢＳインデックスに対応する前記第１変調モードの変調次数より低い。
【００３３】
実施形態において提供される前記データ送信方法、前記基地局、及び前記ユーザ装置によれば、基地局が、変調及び符号化レベルを決定し、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスよりも小さくなく、時間−周波数リソースを決定し、前記時間−周波数リソースに従って、物理リソースブロックペアの数量を決定し、トランスポートブロックサイズテーブルにおいて、物理リソースブロックの数量に対応するとともに前記決定された第１ＴＢＳインデックスまたは第２ＴＢＳインデックスに対応するトランスポートブロックサイズ（ＴＢＳ）を選択し、前記選択されたＴＢＳを採用して、サービスデータを前記ユーザ装置に送信し、システムスケジューリング制御信号を、前記ユーザ装置へ送信し、前記システムスケジューリング制御信号は、前記変調及び符号化レベルと、前記時間−周波数リソースと、を含む。この方法により、前記基地局及び前記ユーザ装置は、より高い符号化レート及びシステムスループットを増加させるように、前記変調及び符号化レベルに対応するより大きいＴＢＳを選択することが可能となる。
【００３４】
本発明の実施形態又は従来技術において技術的なソリューションをより明確に説明するために、以下に実施形態又は従来技術を記述するために必要な添付の図面を簡単に紹介する。以下の説明において、添付の図面は、本発明のいくつかの実施形態を示しており、当業者は、創造的な活動無しに、これら添付の図面から他の図面を導き出すことができる。
【図面の簡単な説明】
【００３５】
【図１】本発明によるデータ送信方法の第１の実施形態の方法のフローチャートである。
【図２】本発明によるデータ送信方法の第２の実施形態の方法のフローチャートである。
【図３】本発明による基地局の第１の実施形態の概略構成図である。
【図４】本発明によるユーザ装置の第１の実施形態の概略構成図である。
【発明を実施するための形態】
【００３６】
本発明の目的、技術的ソリューション、及び利点を明確にするために、以下では、本発明の添付の図面を参照して、本発明の技術的ソリューションを明確かつ完全に説明する。説明される実施形態は、本発明の全ての実施形態ではなく、実施形態の一部であることは明らかである。本発明の実施形態に基づき当業者により創造的な活動無しに取得される他のすべての実施形態は、本発明の保護範囲に入る。
【００３７】
図１は、本発明によるデータ送信方法の第１の実施形態の方法のフローチャートである。図１に示されているように、この実施形態のデータ送信方法は以下を含む。
【００３８】
１０１：  基地局が変調及び符号化レベルを決定する。
【００３９】
サービスデータをユーザ装置(UE:User Equipment)へ送信する場合、前記基地局が、決定されたＭＣＳレベルに従って送信される前記サービスデータを符号化できるように、基地局は、変調及び符号化レベル（ＭＣＳレベル：Modulation and Coding Scheme Level)を決定する必要がある。具体的には、前記基地局は、前記ＵＥにより報告されるチャネル状態に従って、前記ＭＣＳレベルを決定し得る。前記基地局と前記ＵＥ間の通信チャネルのチャネル状態が比較的良い場合、前記基地局は、送信されるサービスデータを符号化するための変調及び符号化レベルとして比較的高いＭＣＳレベルを決定し、前記基地局と前記ＵＥ間の前記通信チャネルのチャネル状態が比較的弱い場合、前記基地局は、送信される前記サービスデータを符号化するための変調及び符号化レベルとして比較的低いＭＣＳレベルを決定する。
【００４０】
この実施形態において、例えば、前記基地局により決定される前記ＭＣＳレベルは、１０である。
【００４１】
１０２：  前記基地局は、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスよりも小さくない。
【００４２】
例えば、前記基地局は、システム構成情報又は高位レイヤシグナリング指標（high-layer signaling indication）に従うとともに、前記第１変調及びトランスポートブロックサイズインデックステーブルにおいて、前記変調及び符号化レベル１０に対応する前記第１ＴＢＳインデックスの値は９であり、第１変調次数の値は４であると決定し、前記変調次数の値が４であることは、前記変調モードは、１６ＱＡＭであることを示し得る。
【００４３】
他の例では、前記基地局は、システム構成情報又は高位レイヤシグナリング指標に従うとともに、前記第２変調及びトランスポートブロックサイズインデックステーブルにおいて、前記変調及び符号化レベル１０に対応する前記第２ＴＢＳインデックスの値を１０、また第２変調次数の値を２と決定する。前記基地局が前記第１ＴＢＳインデックスの値よりも小さくない前記第２ＴＢＳインデックスの値により決定される前記ＴＢＳを採用することにより前記サービスデータを前記ＵＥに送信できるように、前記第２ＴＢＳインデックスの前記値は、前記第１変調及びトランスポートブロックサイズインデックステーブルにおいて決定される前記第１ＴＢＳインデックスの値より小さくなく、符号化レートを増加可能となる。
【００４４】
２である前記変調次数の前記値は、前記変調モードがＱＰＳＫであることを示し得る。前記第１変調及びトランスポートブロックサイズインデックステーブル又は前記第２変調及びトランスポートブロックサイズインデックステーブルにおける他の変調及び符号化レベルに対応する変調次数の値は、６であってよく、６である前記変調次数の値は、前記変調モードが６４ＱＡＭであることを示している。
【００４５】
１０３：  前記基地局は、時間−周波数リソースを決定し、前記時間−周波数リソースに従って、物理リソースブロックペアの数量を決定する。
【００４６】
例えば、ロング・ターム・エボリューション・リリース１２（LTE REL.12）システムにおいて、時間−周波数リソースは、現在の時間−周波数リソース利用可能状況に従ってデータ送信のためにスケジュールされてもよい。前記基地局は、決定された前記時間−周波数リソースに従って、前記基地局が前記サービスデータを前記ＵＥへ送信するための物理リソースブロックペア(ＰＲＢペア：Physical Resource Block Pair)の数量を決定する。例えば、前記基地局により決定されるＰＲＢペアの数量は８であり、前記基地局は、これら８のＰＲＢペア上でサービスデータをベア(bear)する。
【００４７】
１０４：  前記基地局は、トランスポートブロックサイズテーブルにおいて、前記物理リソースブロックペアの数量に対応するとともに決定された前記第１ＴＢＳインデックスまたは第２ＴＢＳインデックスに対応するトランスポートブロックサイズ（ＴＢＳ）を選択する。
【００４８】
例えば、前記基地局は、LTE REL.8のレイヤ１データトランスポートブロックサイズテーブルにおいて、１０３で決定された前記物理リソースブロックペアの数量８に対応するとともに１０２で決定された前記第１ＴＢＳインデックス９に対応するトランスポートブロックサイズ（ＴＢＳ）１２５６を選択してもよい。
【００４９】
他の例では、前記基地局は、LTE REL.8のレイヤ１データトランスポートブロックサイズテーブルにおいて、１０３で決定された前記物理リソースブロックペアの数量８に対応するとともに１０２で決定された前記第２ＴＢＳインデックス１０に対応するトランスポートブロックサイズ（ＴＢＳ）１３８４を選択してもよい。
【００５０】
１０５：  前記基地局は、前記選択されたＴＢＳを採用して、サービスデータを前記ユーザ装置へ送信する。
【００５１】
前記基地局は、１０２で決定される前記変調モードに従って、前記サービスデータを１０４で選択された１２５６データビットに変調し、前記第１変調モード４に対応する１６ＡＱＭ変調モードを採用して符号化を実行するか、又は、
前記基地局は、１０２で決定される前記変調モードに従って、前記サービスデータを１０４で選択された１３８４データビットに変調し、前記第１変調モード２に対応する１６ＱＡＭ変調モードを採用して符号化を実行する。
【００５２】
１０６：  前記基地局は、システムスケジューリング制御信号を前記ユーザ装置へ送信する。前記システムスケジューリング制御信号は、前記変調及び符号化レベルと、前記時間−周波数リソースと、を含む。
【００５３】
前記基地局は、前記ＵＥが、前記基地局により送信された前記サービスデータを、ＭＣＳレベル及び時間−周波数リソースに従って、正しく受信できるように、前記基地局により決定された前記ＭＣＳレベル及び前記時間−周波数リソースを含むシステムスケジューリング制御信号を前記ＵＥへ送信する。
【００５４】
この実施形態により提供される前記データ送信方法によれば、基地局が、変調及び符号化レベルを決定し、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定する。前記第２ＴＢＳインデックスは、前記第１ＴＢＳインデックスより小さくない。時間−周波数リソースを決定し、前記時間−周波数リソースに従って、物理リソースブロックペアの数量を決定し、トランスポートブロックサイズテーブルにおいて、物理リソースブロックの前記数量に対応するとともに決定された第１ＴＢＳインデックスまたは第２ＴＢＳインデックスに対応するトランスポートブロックサイズ（ＴＢＳ）を選択し、前記選択されたＴＢＳを採用してサービスデータをユーザ装置へ送信し、システムスケジューリング制御信号を前記ユーザ装置へ送信する。前記システムスケジューリング制御信号は、前記変調及び符号化レベルと、前記時間−周波数リソースを含んでいる。この方法において、前記基地局は、より高い符号化レートを達成するとともにシステムスループットを増加させるために、前記変調及び符号化レベルに対応するより大きなＴＢＳを選択することが可能となる。
【００５５】
さらに、第１変調及びトランスポートブロックサイズインデックステーブルにおいて、前記変調及び符号化レベルに対応する第１トランスポートブロックサイズ（ＴＢＳ）インデックス及び第１変調モードを選択するか、又は、第２変調及びトランスポートブロックサイズインデックステーブルにおいて、前記変調及び符号化レベルに対応する第２ＴＢＳインデックス及び第２変調モードを選択する、前記基地局は、前記基地局が、システム構成パラメータ又はシステムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定し得ることを含む。
【００５６】
例えば、前記システム構成パラメータが、コントロールシグナリングが、物理ダウンリンク制御チャネルを含むことを示している場合、前記基地局は、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定することを選び、前記システム構成パラメータが、前記コントロールシグナリングが、物理ダウンリンク制御チャネルを含んでいないことを示している場合、前記基地局は、前記第２変調及びトランスポートブロックサイズインデックステーブルにおいて、前記変調及び符号化レベルに対応する前記第２ＴＢＳインデックス及び前記第２変調モードを選ぶ。
【００５７】
又は、前記システムオーバヘッドサイズが４８リソース要素の場合、前記基地局は、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定することを選び、前記システムオーバヘッドサイズが１２リソース要素の場合、前記基地局は、前記第２変調及びトランスポートブロックサイズインデックステーブルにおいて、前記変調及び符号化レベルに対応する前記第２ＴＢＳインデックス及び前記第２変調モードを決定することを選ぶ。
【００５８】
さらに、前記基地局は、高位レイヤシグナリングメッセージも前記ユーザ装置へ送信してもよく、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は,前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００５９】
さらに、前記基地局は、ダウンリンク制御メッセージを前記ユーザ装置へ送信する。前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。前記基地局により、前記ダウンリンク制御メッセージにおいて、前記第１変調及びトランスポートブロックサイズインデックステーブルか、又は、前記第２変調及びトランスポートブロックサイズインデックステーブルが選択されているかどうかを示す前記指示情報を搬送することにより、前記第１変調及びトランスポートブロックサイズインデックステーブルと前記第２変調及びトランスポートブロックサイズインデックステーブル間の切り替えにおける前記基地局の速度を向上させることが可能となる。
【００６０】
さらに、前記トランスポートブロックサイズテーブルは、LTE REL.8（ロング・ターム・エボリューション・リリース８）におけるレイヤ１データトランスポートブロックサイズテーブルを含む。具体的には、LTE REL.8における前記レイヤ１データトランスポートブロックサイズテーブルは表１に示されている。
【００６１】
【表１−１】
0006041114.tif 000002
【表１−２】
0006041114.tif 000003
【表１−３】
0006041114.tif 000004
【表１−４】
0006041114.tif 000005
【表１−５】
0006041114.tif 000006
【表１−６】
0006041114.tif 000007
【表１−７】
0006041114.tif 000008
【表１−８】
0006041114.tif 000009
【表１−９】
0006041114.tif 000010
【００６２】
表１において、ＮＰＲＢは、物理リソースブロックペアの数量を表し、ＩＴＢＳは、ＴＢＳインデックスの値を表し、表の要素は、トランスポートブロックサイズ（ＴＢＳ）を表している。
【００６３】
さらに、前記第１変調及びトランスポートブロックサイズインデックステーブルは、LTE REL.8における変調及びトランスポートブロックサイズインデックステーブルである。具体的には、LTE REL.8の前記変調及びトランスポートブロックサイズインデックステーブルは、表２に示されている。
【００６４】
【表２】
0006041114.tif 000011
【００６５】
ここで、前記ＭＣＳインデックスは、変調及び符号化レベルインデックスであり、前記ＭＣＳインデックスは、前記ＭＣＳレベルに対応する。前記変調次数は、変調次数であり、前記変調次数は、変調モードに対応する。前記ＴＢＳインデックスは、トランスポートブロックサイズインデックス、すなわち、ＴＢＳインデックスであり、前記ＭＣＳインデックスは、前記変調次数及び前記ＴＢＳインデックスと一対一で対応する。例えば、ＭＣＳレベル１０の場合には、対応するＭＣＳインデックスは１０であり、対応する変調次数は、４、つまり変調モードが４であり、対応するＴＢＳインデックスは、９、つまりＴＢＳインデックスは、９である。
【００６６】
さらに、同じ変調及び符号化レベルの場合には、前記第２変調及びトランスポートブロックサイズインデックステーブルにおける前記第２ＴＢＳインデックスが前記第１変調及びトランスポートブロックサイズインデックステーブルにおける前記第１ＴＢＳインデックスよりも大きければ、前記第２ＴＢＳインデックスに対応する前記第２変調モードの変調次数は、前記第１ＴＢＳインデックスに対応する前記第１変調モードの変調次数よりも低い。
【００６７】
具体的には、前記第２変調及びトランスポートブロックサイズインデックステーブルは、表３に示されている。
【００６８】
【表３】
0006041114.tif 000012
【００６９】
ここで、前記ＭＣＳインデックスは、前記ＭＣＳレベルに対応する変調及び符号化レベルインデックスであり、前記変調次数は、変調モードに対応する変調次数であり、前記ＴＢＳインデックスは、トランスポートブロックサイズインデックス、すなわち、ＴＢＳインデックスであり、前記ＭＣＳインデックスは、前記変調次数及び前記ＴＢＳインデックスに一対一に対応する。
【００７０】
例えば、ＭＣＳインデックスの１０と１１にそれぞれ対応する表３のＴＢＳインデックス、すなわち、第２ＴＢＳインデックスは、１０と１１であり、前記第２ＴＢＳインデックスは、それぞれ表２のＭＣＳインデックスの１０と１１にそれぞれ対応する第１ＴＢＳインデックスの９と１０より大きく、そして、前記ＭＣＳインデックスの１０と１１にそれぞれ対応する表３の変調次数、すなわち、第２変調モードは、表２の前記ＭＣＳインデックスの１０と１１にそれぞれ対応する変調次数、すなわち、第１変調モードより低く、前記変調次数は４から２に減少することを意味し、１つ低いレベルにすることができる。
【００７１】
他の例は、ＴＢＳインデックス、すなわち、ＭＣＳインデックスの１７，１８，１９にそれぞれ対応する表３の第２ＴＢＳインデックスは、１６，１７，１８であり、前記第２ＴＢＳインデックスは、表２の前記ＭＣＳインデックスの１７，１８，１９にそれぞれ対応する第１ＴＢＳインデックスの１５，１６，１７よりそれぞれ大きく、そして変調次数、すなわち、前記ＭＣＳインデックスの１７，１８，１９にそれぞれ対応する表３の第２変調モードは、変調次数、すなわち、表２の前記ＭＣＳインデックスの１７，１８，１９にそれぞれ対応する第１変調モードより低く、前記変調次数は、６から４に減少することを意味し、１つ低いレベルにすることができる。
【００７２】
他の実施形態において、前記第２変調及びトランスポートブロックサイズインデックステーブルにおいて、ＭＣＳインデックス、変調次数、及びＴＢＳインデックス間の対応も以下のように解釈してもよい。
【００７３】
前記ＭＣＳインデックスが０の場合、対応する変調次数とＴＢＳインデックスは、それぞれ２と０であり、前記ＭＣＳインデックスが増加係数を１として連続的に増加する場合、前記ＴＢＳインデックスでも増加係数を１として連続的に増加し、前記変調次数を、２に維持することができる。
【００７４】
対応する符号化レートが第１しきい値より低いが近い場合、次のレベルのＭＣＳインデックスに対応する変調次数は、前のレベルのＭＣＳインデックスに対応する変調次数と比較して１レベル増加し、前記次のレベルのＭＣＳインデックスに対応するＴＢＳインデックスは、前のレベルのＭＣＳインデックスに対応するＴＢＳインデックスに等しく、前記ＭＣＳインデックスは、また増加係数を１として連続的に増加し、前記ＴＢＳインデックスもまた、増加係数を同様に１として連続的に増加し、前記変調次数は、４に維持され得る。
【００７５】
前記対応する符号化レートが前記第１しきい値より低いが近い場合、次のレベルのＭＣＳインデックスに対応する変調次数は、前のレベルのＭＣＳインデックスに対応する変調次数と比較して１レベル増加し、前記次のレベルのＭＣＳインデックスに対応するＴＢＳインデックスは、前記前のレベルのＭＣＳインデックスに対応するＴＢＳインデックスと等しく、そして、前記ＭＣＳインデックスは、前記増加係数を１として再び連続的に増加し、前記ＴＢＳインデックスもまた、前記増加係数を同様に１として連続的に増加し、前記変調次数は、６に維持され得る。
【００７６】
この実施形態において、前記第１しきい値は、２／３であってよく、他の実施形態において、前記第１しきい値は、ここでは限定しない他の数値であって良い。前記符号化レートは、システムオーバーヘッドが１２ＲＥと想定した場合の符号化レートでもよい。
【００７７】
図２は、本発明によるデータ送信方法の第２の実施形態の方法のフローチャートである。図２に示されているように、この実施形態における前記データ送信方法は、以下を含む。
【００７８】
２０１：  ユーザ装置は、基地局により送信されたシステムスケジューリング制御信号を受信する。前記システムスケジューリング制御信号は、変調及び符号化レベルと、時間−周波数リソースとを含む。
【００７９】
２０２：  前記ユーザ装置は、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくない。
【００８０】
例えば、前記基地局からの前記ユーザ装置（ＵＥ：User Equipment）により受信された前記システムスケジューリング制御信号に含まれる前記変調及び符号化レベルは、１０である。前記ＵＥは、システム構成情報又は高位レイヤシグナリング指標に従って、及び、前記第１変調及びトランスポートブロックサイズインデックステーブルにおいて、前記変調及び符号化レベル１０に対応する前記第１ＴＢＳインデックスの値及び変調次数の値を決定する。前記変調及び符号化レベル１０に対応する前記第１ＴＢＳインデックスの前記値は、９であり、前記第１変調次数の値は、４であり、前記変調次数の前記値が４であることは、前記変調モードが１６ＱＡＭであることを示している。
【００８１】
他の例は、前記ＵＥは、システム構成情報又は高位レイヤシグナリング指標に従って、前記第２変調及びトランスポートブロックサイズインデックステーブルにおいて、前記変調及び符号化レベル１０に対応する前記第２ＴＢＳインデックスの値及び変調次数を決定する。前記変調及び符号化レベル１０に対応する前記第２ＴＢＳインデックスの前記値は１０であり、前記第２変調次数の値は、２である。前記ＵＥが、前記第１ＴＢＳインデックスの前記値より小さくない前記第２ＴＢＳインデックスの前記値により決定された前記ＴＢＳを採用し、前記基地局により前記ＵＥへ送信されたサービスデータを復号できるように、前記第２ＴＢＳインデックスの前記値は、前記第１変調及びトランスポートブロックサイズインデックステーブルにおいて決定される前記第１ＴＢＳインデックスの前記値よりも小さくなく、符号化レートを増加可能となる。
【００８２】
２である前記変調次数の前記値は、前記変調モードがＱＰＳＫであることを示しうる。前記第１変調及びトランスポートブロックサイズインデックステーブル又は前記第２変調及びトランスポートブロックサイズインデックステーブルにおいて、他の変調及び符号化レベルに対応する変調次数の値もまた６であってよく、前記変調次数の前記値が６であることは、前記変調モードが６４ＱＡＭであることを示している。
【００８３】
２０３：  前記ユーザ装置は、前記時間−周波数リソースに従って、物理リソースブロックペアの数量を決定する。
【００８４】
例えば、前記ＵＥは、受信したシステムスケジューリング制御信号に含まれている前記時間−周波数リソースに従って、サービスデータを送信するために前記基地局により占有される物理リソースは、８の物理リソースブロックペア（ＰＲＢペア：Physical Resource Block Pair)であると決定する。
【００８５】
２０４：  前記ユーザ装置は、トランスポートブロックサイズテーブルにおいて、物理リソースペアの前記数量に対応するとともに前記決定された第１ＴＢＳインデックスまたは第２ＴＢＳインデックスに対応するトランスポートブロックサイズ（ＴＢＳ）を選択する。
【００８６】
例えば、前記ＵＥは、LTE REL.8のレイヤ１データトランスポートブロックサイズテーブルにおいて、２０３で決定された前記物理リソースブロックペアの数量８に対応するとともに２０２で決定された前記第１ＴＢＳインデックス９に対応するトランスポートブロックサイズ（ＴＢＳ）１２５６を選択してもよい。
【００８７】
他の例では、前記ＵＥは、LTE REL.8のレイヤ１データトランスポートブロックサイズテーブルにおいて、２０３で決定された前記物理リソースブロックペアの数量８に対応するとともに、２０２で決定された前記第２ＴＢＳインデックス１０に対応するトランスポートブロックサイズ（ＴＢＳ）１３８４を選択してもよい。
【００８８】
２０５：  前記選択されたＴＢＳを採用し、前記基地局により送信されたサービスデータを受信する。
【００８９】
前記ユーザ装置は、２０２で決定された前記変調モードと２０４で決定された前記ＴＢＳに従って前記受信されたサービスデータを復号する。
【００９０】
この実施形態において提供された前記データ送信方法によると、ユーザ装置は、基地局により送信されたシステムスケジューリング制御信号を受信し、前記システムスケジューリング制御信号は、変調及び符号化レベルと、時間−周波数リソースとを含んでおり、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定する。前記第２ＴＢＳインデックスは、前記第１ＴＢＳインデックスより小さくない。前記時間−周波数リソースに従って、物理リソースブロックペアの数量を決定する。トランスポートブロックサイズテーブルにおいて、物理リソースブロックの前記数量に対応するとともに前記決定された第１ＴＢＳインデックスまたは第２ＴＢＳインデックスに対応するトランスポートブロックサイズ（ＴＢＳ）を選択する。前記選択されたＴＢＳを採用し、前記基地局により送信されたサービスデータを受信する。この方法において、前記ユーザ装置は、より高い符号化レートを達成するとともにシステムスループットを増加させるために、前記サービスデータを受信する前記変調及び符号化レベルに対応するより大きいＴＢＳを選択できる。
【００９１】
さらに、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定する前記ユーザ装置は、前記ユーザ装置が、システム構成パラメータ又はシステムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定することを含む。
【００９２】
例えば、前記システム構成パラメータが、コントロールシグナリングが物理ダウンリンク制御チャネルを含むことを示している場合、前記ＵＥは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定することを選び、前記システム構成パラメータが前記コントロールシグナリングが物理ダウンリンク制御チャネルを含まないことを示す場合、前記ＵＥは、前記第２変調及びトランスポートブロックサイズインデックステーブルにおいて、前記変調及び符号化レベルに対応する前記第２ＴＢＳインデックス及び前記第２変調モードを決定することを選択する。
【００９３】
又は、前記システムオーバヘッドサイズが４８のリソース要素の場合、前記ＵＥは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定することを選び、前記システムオーバヘッドサイズが１２のリソース要素の場合、前記ＵＥは、前記第２変調及びトランスポートブロックサイズインデックステーブルにおいて、前記変調及び符号化レベルに対応する前記第２ＴＢＳインデックス及び前記第２変調モードを決定することを選ぶ。
【００９４】
さらに、前記ユーザ装置は、前記基地局により送信された高位レイヤシグナリングメッセージも受信してよく、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【００９５】
さらに、前記ＵＥは、前記基地局により送信されたダウンリンク制御メッセージをさらに受信してもよく、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。前記ＵＥにより、前記第１変調及びトランスポートブロックサイズインデックステーブルか、前記第２変調及びトランスポートブロックサイズインデックステーブルが選択されるかどうかを示す前記指示情報を搬送する前記ダウンリンク制御メッセージを受信することにより、前記第１変調及びトランスポートブロックサイズインデックステーブルと前記第２変調及びトランスポートブロックサイズインデックステーブル間の切り替えの前記ユーザ装置の速度を増加しうる。
【００９６】
さらに、前記トランスポートブロックサイズテーブルは、LTE REL.8（ロング・ターム・エボリューション・リリース８）におけるレイヤ１データトランスポートブロックサイズテーブルを含んでもよい。LTE REL.8における前記レイヤ１データトランスポートブロックサイズテーブルは、表１のように示される。詳細は、表１を参照し、ここではこれ以上の詳細は提供しない。
【００９７】
さらに、前記第１変調及びトランスポートブロックサイズインデックステーブルは、LTE REL.8における変調及びトランスポートブロックサイズインデックステーブルであってもよい。LTE REL.8における前記変調及びトランスポートブロックサイズインデックステーブルは、表２に示されている。詳細は、表２を参照し、ここではこれ以上の詳細は提供しない。
【００９８】
さらに、同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスより大きければ、前記第２ＴＢＳインデックスに対応する前記第２変調モードの変調次数は、前記第１ＴＢＳインデックスに対応する前記第１変調モードの変調次数よりも低い。
【００９９】
具体的には、前記第２変調及びトランスポートブロックサイズインデックステーブルは、表３に示されている。詳細は、表３を参照し、ここではこれ以上の詳細は提供しない。この実施形態の前記第２変調及びトランスポートブロックサイズインデックステーブルにおける要素間の対応は、前述の実施形態を参照し、ここではこれ以上の詳細は提供しない。
【０１００】
当業者は、前述の方法の実施形態を実施するすべての又は一部のステップは、関連するハードウェアに命令するプログラムにより実行しうることは理解しうる。先のプログラムは、コンピュータ可読記録媒体に格納されてよく、前記プログラムが実行される場合、前述の方法の実施形態のステップが実行される。前述の格納媒体は、プログラムコードを格納可能な、ＲＯＭ，ＲＡＭ，磁気ディスク又は光ディスクといったさまざまな媒体を含む。
【０１０１】
図３は、本発明による基地局の第１の実施形態の概略構成図である。図３に示されるように、この実施形態の前記基地局３００は、プロセッサ３１と、送信器３２と、を含む。前記プロセッサ３１は、変調及び符号化レベルを決定し、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくなく、時間−周波数リソースを決定し、前記時間−周波数リソースに従って、物理リソースブロックペアの数量を決定するように構成されうる。前記プロセッサ３１は、トランスポートブロックサイズテーブルにおいて、前記物理リソースブロックペアの数量に対応するとともに、前記決定された前記第１ＴＢＳインデックスまたは第２ＴＢＳインデックスに対応するトランスポートブロックサイズ（ＴＢＳ）を選択するようにさらに構成してもよい。前記送信器３２は、前記選択されたＴＢＳを採用し、サービスデータをユーザ装置へ送信し、システムスケジューリング制御信号を前記ユーザ装置へ送信するように構成されうる。前記システムスケジューリング制御信号は、前記変調及び制御レベルと、前記時間−周波数リソースとを含む。
【０１０２】
この実施形態における前記基地局において、プロセッサは、変調及び符号化レベルを決定し、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくなく、時間−周波数リソースを決定し、前記時間−周波数リソースに従って、物理リソースブロックペアの数量決定し、トランスポートブロックサイズテーブルにおいて、物理リソースブロックの前記数量に対応するとともに、前記決定された第１ＴＢＳインデックスまたは第２ＴＢＳインデックスに対応するトランスポートブロックサイズ（ＴＢＳ）を選択する。送信器は、前記選択されたＴＢＳを採用して、サービスデータをユーザ装置へ送信し、システムスケジューリング制御信号を前記ユーザ装置へ送信する。前記システムスケジューリング制御信号は、前記変調及び符号化レベルと、前記時間−周波数リソースとを含む。この方法により、前記基地局は、より高い符号化レートを達成し、システムスルーアウトを増加させるように、前記変調及び符号化レベルに対応するより大きなＴＢＳを選択可能である。
【０１０３】
さらに、前記プロセッサ３１は、システム構成パラメータ又は、システムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定するようにさらに構成されてもよい。
【０１０４】
さらに、前記送信器３２は、高位レイヤシグナリングメッセージを前記ユーザ装置へ送信するようにさらに構成されてもよく、前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【０１０５】
さらに、前記送信器３２は、ダウンリンク制御メッセージを前記ユーザ装置へ送信するようにさらに構成されてよく、前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【０１０６】
さらに、前記トランスポートブロックサイズテーブルは、LTE REL.8（ロング・ターム・エボリューション・リリース８）におけるレイヤ１データトランスポートブロックサイズテーブルを含んでもよい。
【０１０７】
さらに、前記第１変調及びトランスポートブロックサイズインデックステーブルは、LTE REL.8における変調及びトランスポートブロックサイズインデックステーブルであってよい。
【０１０８】
さらに、同じ変調及び符号化レベルの場合、前記第２変調及びトランスポートブロックサイズインデックステーブルにおける前記第２ＴＢＳインデックスが前記第１変調及びトランスポートブロックサイズインデックステーブルにおける前記第１ＴＢＳインデックスより大きいならば、前記第２ＴＢＳインデックスに対応する前記第２変調モードの変調次数は、前記第１ＴＢＳインデックスに対応する前記第１変調モードの変調次数より低い。
【０１０９】
図４は、本発明によるユーザ装置の第１の実施形態の概略構成図である。図４に示されているように、この実施形態の前記ユーザ装置は、受信器４１と、プロセッサ４２とを含む。前記受信器４１は、基地局により送信されたシステムスケジューリング制御信号を受信するように構成されてもよく、前記システムスケジューリング制御信号は、変調及び符号化レベルと、時間−周波数リソースとを含む。前記プロセッサ４２は、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定し、前記第２ＴＢＳインデックスは、前記第１ＴＢＳインデックスより小さくなく、前記時間−周波数リソースに従って、物理リソースブロックペアの数量を決定し、トランスポートブロックサイズテーブルにおいて、前記物理リソースブロックペアの数量に対応するとともに、前記決定された第１ＴＢＳインデックスまたは第２ＴＢＳインデックスに対応するトランスポートブロックサイズ（ＴＢＳ）を選択するようにさらに構成されてもよい。前記受信器４１は、前記選択されたＴＢＳを採用して、前記基地局により送信されたサービスデータを受信するようにさらに構成されてもよい。
【０１１０】
この実施形態の前記ユーザ装置において、受信器は、基地局により送信されたシステムスケジューリング制御信号を受信し、前記システムスケジューリング制御信号は、変調及び符号化レベルと、時間−周波数リソースとを含む。前記プロセッサは、第１変調及びトランスポートブロックサイズインデックステーブルにおいて、前記変調及び符号化レベルに対応する第１トランスポートブロックサイズ（ＴＢＳ）インデックス及び第１変調モードを決定するか、又は、第２変調及びトランスポートブロックサイズインデックステーブルにおいて、前記変調及び符号化レベルに対応する第２ＴＢＳインデックス及び第２変調モードを決定する。前記第２ＴＢＳインデックスは、前記第１ＴＢＳインデックスより小さくない。前記プロセッサは、トランスポートブロックサイズテーブルにおいて、物理リソースブロックの前記数量に対応するとともに、前記決定された第１ＴＢＳインデックスまたは第２ＴＢＳインデックスに対応するトランスポートブロックサイズ（ＴＢＳ）を選択する。前記受信器は、前記選択されたＴＢＳを採用して、前記基地局により送信されたサービスデータを受信する。この方法により、前記ユーザ装置は、より高い符号化レートを達成するとともにシステムスルーアウトを増加させるために、前記サービスデータを受信する前記変調及び符号化レベルに対応するより大きいＴＢＳを選択可能となる。
【０１１１】
さらに、前記プロセッサ４２は、システム構成パラメータ又は、システムオーバヘッドサイズに従って、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードを決定するようにさらに構成されてもよい。
【０１１２】
さらに、前記受信器４１は、前記基地局により送信された高位レイヤシグナリングメッセージを受信するようにさらに構成されてもよい。前記高位レイヤシグナリングメッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【０１１３】
さらに、前記受信器４１は、前記基地局により送信されたダウンリンク制御メッセージを受信するようにさらに構成されてもよい。前記ダウンリンク制御メッセージは、前記第１変調及びトランスポートブロックサイズインデックステーブルにおいて、前記変調及び符号化レベルに対応する前記第１トランスポートブロックサイズ（ＴＢＳ）インデックス及び前記第１変調モードを決定するか、又は、前記第２変調及びトランスポートブロックサイズインデックステーブルにおいて、前記変調及び符号化レベルに対応する前記第２ＴＢＳインデックス及び前記第２変調モードの指示情報を決定するか、の選択の指示情報を搬送する。
【０１１４】
さらに、前記トランスポートブロックサイズテーブルは、LTE REL.8（ロング・ターム・エボリューション・リリース８）におけるレイヤ１データトランスポートブロックサイズテーブルを含んでよい。
【０１１５】
さらに、前記第１変調及びトランスポートブロックサイズインデックステーブルは、LTE REL.8における変調及びトランスポートブロックサイズインデックステーブルであってよい。
【０１１６】
さらに、同じ変調及び符号化レベルの場合、前記第２変調及びトランスポートブロックサイズインデックステーブルにおける前記第２ＴＢＳインデックスが、前記第１変調及びトランスポートブロックサイズインデックステーブルにおける前記第１ＴＢＳインデックスよりも大きいならば、前記第２ＴＢＳインデックスに対応する前記第２変調モードの変調次数は、前記第１ＴＢＳインデックスに対応する前記第１変調モードの変調次数より低い。
【０１１７】
最後に、上述した実施形態は、本発明の技術的ソリューションを単に説明することに目的があり、本願を限定する趣旨ではない。上述の実施形態を参照し本発明を詳細に説明したが、当業者であれば、本発明の技術的ソリューションの範囲を逸脱することなく、上述の実施形態で説明した技術的ソリューションを修正し、いくつか又はすべての技術的特徴を等価な置換を施し得ることは理解し得る。
【符号の説明】
【０１１８】
３１  プロセッサ
３２  送信機
４１  受信機
４２  プロセッサ
【図１】
0006041114.tif 000013
【図２】
0006041114.tif 000014
【図３】
0006041114.tif 000015
【図４】
0006041114.tif 000016